(57)【特許請求の範囲】
【請求項１】
スライド型の指紋センサーと、
指の第一関節部を前記指紋センサーの中央位置に位置決めさせる位置決め部を有し、
前記位置決め部は、
前記指紋センサーの配設位置に対し、指走査方向の前方位置に配設された前方指走査面と、
前記指紋センサーの配設位置に対し、前記指走査方向の後方位置に配設された後方指走査面とを有し、
かつ、少なくとも前記前方指走査面または前記後方指走査面の一方が鏡面処理された、携帯用情報処理装置。
【発明の詳細な説明】
【技術分野】
【０００１】
本発明は指紋読取装置、情報処理装置に係り、特に指紋センサー上で指をスライドさせるスライド型の指紋読取装置及び前記指紋読取装置を備えた情報処理装置に関するものである。
【背景技術】
【０００２】
近年、ＰＣ（Personal Computer）やＰＤＡ（Personal Digital Assistants），携帯電話等の情報処理装置分野において、小型で安価な装置実現を可能にするスライド型或いはスウィープ型（以下スライド型）指紋センサーを備えた指紋読取装置が普及しつつある。
【０００３】
図１Ａ〜図１Ｃは、このようなスライド型指紋読取装置における指紋の読取範囲及び読取方法を説明するための図である。スライド型指紋読取装置においては、通常指Ｆの第一関節Ｊ１より先の部分（図中、矢印Ｌで示す部分）が読取範囲となるため、走査する指Ｆの第一関節部Ｊ１を指紋センサー１の中央部近傍に来るように指を走査面に正しく置く必要がある（図１Ｂ及び図１Ｃ参照）。
【０００４】
図２Ａに示すように、指Ｆの中心が指紋センサー１の中心位置Ｏを通るように矢印Ｘ方向に走査された場合、確実に指紋ＦＰの読み取りを行うことができる。しかしながら、指紋の読み取り時には指紋センサー１は指Ｆに隠れてうまく第１関節Ｊ１を指紋センサー１に合わせることが困難である。
【０００５】
よって、指紋センサー１の中心位置Ｏに位置するように第１関節Ｊ１を正しく位置決めすることができず、例えば図２Ｂに示すように第１関節Ｊ１の位置が指紋センサー１の中心位置Ｏに対して左右にずれたり、また図２Ｃに示すように第１関節Ｊ１の位置が指紋センサー１の中心位置Ｏよりも下になったりしてしまう。このような場合、読み取るべき範囲の画像が欠落して十分な画像が得られず、認証に失敗するという問題がある。
【０００６】
このような問題を解決する方法として、指紋センサーが指に隠れないように、指紋センサーの真上より若干左右にずれた位置から指紋センサー近傍位置を目視し、指の第一関節部が指紋センサーの中央部に位置するよう指を置く方法が考えられる。しかしながら、この方法では、毎回指紋走査のために窮屈な姿勢を強いられるという問題が生じる。
【０００７】
上記の問題を解決する方法として、特許文献１には、ガイド部を互いに略平行に並んだ１対の突条とし、このガイド部としての各突条を指の移動方向に延在するようにした構成が開示されている。更に、指紋を読み取る透明部材のすぐ後方に、ローラ及び指の移動方向(前後)に沿って指幅よりやや狭い突起状の2本のガイド部を設けることが記載されている。
【０００８】
また特許文献２には、指紋センサーより少し離れた指紋走査方向前方に、被験者の指Ｆの有無を検知するスイッチを有する構成が開示されている。このスイッチは、第一関節より上の指の腹で押下する構成とされている。
【０００９】
更に、特許文献３には、Ｖ字型溝の両側に一対のケースパッドを備え、これらケースパッドに指紋検出時の指の位置の指標としての役割を担わせ、スイープ型指紋センサーにより指紋を検出させようとするときは、指の先端に最も近い第１関節が、２つのケースパッド同士を結ぶ直線上に位置するように指をあてがうことが開示されている。
【先行技術文献】
【特許文献】
【００１０】
【特許文献１】特開２００４―２４０９２４号公報
【特許文献２】特開２００４―２７２７４５号公報
【特許文献３】特開２００５―２５９１５０号公報
【発明の概要】
【発明が解決しようとする課題】
【００１１】
上記の特許文献１に開示された方法では、指幅よりやや狭い突起状の２本のガイド部に指の腹部を均等に置くようにすることにより、指紋センサーの指走査方向に対して垂直方向中央部への最初の指置き位置への誘導はある程度可能になると思われる。しかしながら、指紋センサーの指走査方向に対しては、指紋センサー中央部近傍に指の第一関節部を正しく置く方法については開示されていない。
【００１２】
また、特許文献２に開示された方法では、第一関節より上の指の腹で押下する形となり、指の背側だけから見て腹の中心で押せるとは限らない。このため、十分な指紋画像が得られず、認証に失敗するおそれがある。
【００１３】
更に、特許文献３に開示された方法では、指を背側から見た場合、第一関節の位置は容易に判別できず、やはり十分な指紋画像が得られず正確な認証を得られないおそれがある。
【課題を解決するための手段】
【００１４】
本発明は、上述した従来技術の問題を解決する、改良された有用な指紋読取装置及び前記指紋読取装置を備えた情報処理装置を提供することを総括的な目的とする。
【００１５】
本発明のより詳細な目的は、窮屈な姿勢を強いられることなく指を適正読み取り位置に位置決めでき、正確な指紋認証を行いうる指紋読取装置及び前記指紋読取装置を備えた情報処理装置を提供することにある。
【００１６】
この目的は、スライド型の指紋センサーと、
指の第一関節部を前記指紋センサーの中央位置に位置決めさせる位置決め部を有し、
前記位置決め部は、
前記指紋センサーの配設位置に対し、指走査方向の前方位置に配設された前方指走査面と、
前記指紋センサーの配設位置に対し、前記指走査方向の後方位置に配設された後方指走査面とを有し、
かつ、少なくとも前記前方指走査面または前記後方指走査面の一方が鏡面処理された、
携帯用情報処理装置により解決することができる。
【発明の効果】
【００１７】
上記の発明によれば、指紋センサーに対して適性位置に指を正しく位置決めすることができ、認証精度の向上を図ることができる。
【図面の簡単な説明】
【００１８】
【図１Ａ】指紋読取を行う範囲を説明するための図である。
【図１Ｂ】指紋読取時における指の走査方法を説明するための図である（その１）。
【図１Ｃ】指紋読取時における指の走査方法を説明するための図である（その２）。
【図２Ａ】指紋センサーの位置と指の置き方を説明するための図である（適正時）。
【図２Ｂ】指紋センサーの位置と指の置き方を説明するための図である（不適正時その１）。
【図２Ｃ】指紋センサーの位置と指の置き方を説明するための図である（不適正時その２）。
【図３】第１実施例である指紋読取装置が設けられたパーソナルコンピュータを示す斜視図である。
【図４】指紋読取中における、図３に矢印Ｘで示す部分を拡大して示す図である。
【図５】指紋読取後における、図３に矢印Ｘで示す部分を拡大して示す図である。
【図６】本発明の第１実施例である指紋読取装置を示す平面図である。
【図７】本発明の第１実施例である指紋読取装置を示す断面図である。
【図８】本発明の第２実施例である指紋読取装置を示す平面図である。
【図９】本発明の第２実施例である指紋読取装置を示す断面図である。
【図１０】本発明の第３実施例である指紋読取装置を示す平面図である。
【図１１】本発明の第３実施例である指紋読取装置を示しており、指を走査させる前の状態を示す断面図である。
【図１２】本発明の第３実施例である指紋読取装置を示しており、指の走査中である状態を示す断面図である。
【図１３】本発明の第４実施例である指紋読取装置を示す平面図である。
【図１４】本発明の第４実施例である指紋読取装置を示しており、指を走査させる前の状態を示す断面図である。
【図１５】本発明の第４実施例である指紋読取装置を示しており、指の走査中である状態を示す断面図である。
【図１６】本発明の第５実施例である指紋読取装置を示す平面図である。
【図１７】本発明の第５実施例である指紋読取装置を示しており、指を走査させる前の状態を示す断面図である。
【図１８】本発明の第５実施例である指紋読取装置を示しており、指の走査中である状態を示す断面図である。
【図１９】本発明の第６実施例である指紋読取装置を示す平面図である。
【図２０】本発明の第６実施例である指紋読取装置を示しており、指を走査させる前の状態を示す断面図である。
【図２１】本発明の第６実施例である指紋読取装置を示しており、指の走査中である状態を示す断面図である。
【発明を実施するための形態】
【００１９】
次に、本発明の実施の形態について図面と共に説明する。
【実施例１】
【００２０】
図３〜図５は、本発明の第１実施例である指紋読取装置１１０Ａの適用例を示している。本実施例では、指紋読取装置１１０Ａを情報処理装置の一例であるパーソナルコンピュータ１００に搭載した例を示している。パーソナルコンピュータ１００は、キーボード１０４及びフラットポイント１０５等を有した本体部１０１と、液晶ディスプレイ１０３等を搭載した蓋体部１０２とを有している。
【００２１】
指紋読取装置１１０Ａは、フラットポイント１０５の近傍位置に配設されている。この指紋読取装置１１０Ａは指Ｆの指紋ＦＰを読み取る装置であり、これにより予め指紋登録した人のみがパーソナルコンピュータ１００を使用する構成とすることができ、セキュリティの向上を図ることができる。
【００２２】
本実施例に係る指紋読取装置１１０Ａは、指紋センサー１上で指Ｆをスライドさせることにより指紋ＦＰを読み取るスライド型の指紋読取装置である。具体的には、図４に示すように、指紋読取装置１１０Ａ上に指Ｆを置き、矢印Ｘ方向に指走査することにより指紋の読み取りを行う。この際、指走査する指Ｆの第一関節部Ｊ１を指紋センサー１の中心位置Ｏに位置決めして指Ｆを走査する必要があることは前述した通りである。
【００２３】
第１実施例に係る指紋読取装置１１０Ａは、図５及び図６に示すように、指紋センサー１、前方指走査面２、後方指走査面３、ガイド側壁４、及びガイド側壁５等により構成されている。
【００２４】
前方指走査面２及び後方指走査面３は、指紋ＦＰの読み取り時に指Ｆが走査する走査面を構成する。前方指走査面２は、指Ｆの走査方向（矢印Ｘ方向）に対し指紋センサー１の前方位置に配置されている。また後方指走査面３は、指Ｆの走査方向（矢印Ｘ方向）に対し指紋センサー１の後方位置に配置されている。
【００２５】
ガイド側壁４，５は、指Ｆの走査面となる前方指走査面２及び後方指走査面３の両側位置に配設されている。このガイド側壁４，５の上面の高さは本体部１０１の表面と面一となるよう設定されている。
【００２６】
これに対し、前記した前方指走査面２及び後方指走査面３は指Ｆの走査を円滑に行うために断面視で下に凸となる湾曲形状とされている（図７参照）。このため、相対的に、前方指走査面２及び後方指走査面３の表面の高さは、ガイド側壁４，５の上面の高さに対して低くなっている。よって、指Ｆを走査面（前方指走査面２及び後方指走査面３）上で指走査する際、指Ｆの両側はガイド側壁４，５にガイドされるため、円滑な指走査を行うことができる。
【００２７】
ここで、本実施例に係る指紋読取装置１１０Ａの前方指走査面２及び後方指走査面３の表面に注目する。本実施例に係る前方指走査面２の表面には第１の凹凸部１２が形成されており、また後方指走査面３の表面には第２の凹凸部１３が形成されている。
【００２８】
この第１及び第２の凹凸部１２，１３は、各指走査面２，３の表面に対してシボ加工，ローレット加工，表面粗化加工を行うことにより形成することができる。また、各凹凸部１２，１３の表面の凹凸状態は同一ではなく、異なる凹凸状態となるよう設定されている。
【００２９】
例えば、第１の凹凸部１２の凹凸状態を粗く設定した場合、第２の凹凸部１３の凹凸状態はこれよりも細かい凹凸となるよう設定されている。また、第１または第２の凹凸部１２，１３のうち、一方に対してのみ凹凸を設け、他方を平坦面（凹凸を形成しない面）とすることも可能である。
【００３０】
この構成とすることにより、指Ｆの指紋ＦＰが少し浮いた状態で指Ｆの腹が、前方指走査面２（第１の凹凸部１２を有する）または後方指走査面３（第２の凹凸部１３を有する）に接触すると、指Ｆの触覚により第１の凹凸部１２と第２の凹凸部１３との相違を識別することができる。
【００３１】
このように指Ｆの触覚により第１の凹凸部１２と第２の凹凸部１３の識別が可能となることにより、指Ｆの第１関節Ｊ１の位置が指紋センサー１に対して上側か下側か、左側か右側かを認識することができる。これにより、指紋センサー１が指Ｆにより隠れた状態であっても、第１関節Ｊ１が指紋センサー１の中心位置Ｏに位置するように調整することが可能となる。即ち、第１の凹凸部１２及び第２の凹凸部１３は、指Ｆの第１関節Ｊ１を指紋センサー１の中心位置Ｏに位置決めさせる位置決め装置として機能する。
【００３２】
上記のように指Ｆの正しい位置が確認されると、図７に示すように第１関節Ｊ１を指紋センサー１の中心位置Ｏに押し付け、その後に第１関節Ｊ１より上の指Ｆの腹の部分を指紋センサー１に押し付けながら図中矢印Ｘ方向に一定速度で指走査することで正しい指紋ＦＰの読み取りを行うことができる。
【実施例２】
【００３３】
図８及び図９は、第２実施例である指紋読取装置１１０Ｂを示している。尚、第２実施例以降の各実施例で用いる図面（図８〜図３３）において、第１実施例の説明に用いた図１〜図７に示した構成と対応する構成については同一符号を付して、その説明を適宜省略する。
【００３４】
前記した第１実施例に係る指紋読取装置１１０Ａは、前方指走査面２及び後方指走査面３の表面に凹凸部１２，１３を形成した構成とした。これに対して本実施例に係る指紋読取装置１１０Ｂでは、ガイド側壁４，５の上面で前方指走査面２と対向する位置に第１の凹凸部１４を形成すると共に、ガイド側壁４，５の上面で後方指走査面３と対向する位置に第２の凹凸部１５を形成した構成としている。
【００３５】
この第１及び第２の凹凸部１４，１５は、各ガイド側壁４，５の上面に対してシボ加工，ローレット加工，表面粗化加工を行うことにより形成することができる。また、各凹凸部１４，１５の表面の凹凸状態は同一ではなく、異なる凹凸状態となるよう設定されている。
【００３６】
例えば、第１の凹凸部１４の凹凸状態を粗く設定した場合、第２の凹凸部１５の凹凸状態はこれよりも細かい凹凸となるよう設定されている。また、第１または第２の凹凸部１４，１５のうち、一方に対してのみ凹凸を設け、他方を平坦面（凹凸を形成しない面）とすることも可能である。
【００３７】
この構成とすることにより、指Ｆの指紋ＦＰが少し浮いた状態で指Ｆの腹がガイド側壁４，５に接触すると、指Ｆの触覚により第１の凹凸部１４と第２の凹凸部１５との相違を識別することができる。
【００３８】
このように指Ｆの触覚により第１の凹凸部１４と第２の凹凸部１５の識別が可能となることにより、指Ｆの第１関節Ｊ１の位置の指紋センサー１に対するずれを認識することができる。これにより、指紋センサー１が指Ｆにより隠れた状態であっても、第１関節Ｊ１が指紋センサー１の中心位置Ｏに位置するように調整することが可能となる。即ち、第１の凹凸部１４及び第２の凹凸部１５は、指Ｆの第１関節Ｊ１を指紋センサー１の中心位置Ｏに位置決めさせる位置決め装置として機能する。
【００３９】
上記のように指Ｆの正しい位置が確認されると、図９に示すように第１関節Ｊ１を指紋センサー１の中心位置Ｏに押し付け、その後に第１関節Ｊ１より上の指Ｆの腹の部分を指紋センサー１に押し付けながら図中矢印Ｘ方向に一定速度で指走査することで正しい指紋ＦＰの読み取りを行うことができる。
【００４０】
尚、図９に示すように、第１の凹凸部１４をガイド側壁４，５の上面ばかりでなく前方指走査面２と対向する内壁に形成し、第２の凹凸部１５をガイド側壁４，５の前方指走査面３と対向する内壁に形成する構成としてもよい。これにより、指Ｆによる位置認識を更に精度よく行うことができる。
【実施例３】
【００４１】
図１０〜図１２は、第３実施例に係る指紋読取装置１１０Ｃを示している。本実施例に係る指紋読取装置１１０Ｃは、ガイド側壁４，５の上面と指紋センサー１の配設位置と対向する位置に、凸状突起２４，２５を設けた構成としている。この凸状突起２４，２５のガイド側壁４，５の上面からの突出量Ｈ１（図１１に示す）は、例えば1mm〜3mmに設定されている。
【００４２】
この構成とすることにより、図１１に示すように指Ｆの指紋ＦＰが少し浮いた状態で指Ｆの腹が凸状突起２４，２５に接触すると、指Ｆの触覚により指紋センサー１に対する指Ｆの位置を認識することができる。
【００４３】
このように、本実施例に係る１１０Ｃでは、指紋センサー１に対する指Ｆの第１関節Ｊ１の位置ずれを認識することができる。これにより、指紋センサー１が指Ｆにより隠れた状態であっても、第１関節Ｊ１が指紋センサー１の中心位置Ｏに位置するように調整することが可能となる。即ち、凸状突起２４，２５は、指Ｆの第１関節Ｊ１を指紋センサー１の中心位置Ｏに位置決めさせる位置決め装置として機能する。
【００４４】
上記のように指Ｆの正しい位置が確認されると、図１２に示すように第１関節Ｊ１を指紋センサー１の中心位置Ｏに押し付け、その後に第１関節Ｊ１より上の指Ｆの腹の部分を指紋センサー１に押し付けながら図中矢印Ｘ方向に一定速度で指走査することで正しい指紋ＦＰの読み取りを行うことができる。
【００４５】
尚、上記した実施例ではガイド側壁４，５の指紋センサー１と対向する位置に凸状突起２４，２５を形成する構成を例に挙げて説明したが、指Ｆで認識できる構成であれば、凹状窪みを形成する構成としてもよい。
【実施例４】
【００４６】
図１３〜図１５は、第４実施例に係る指紋読取装置１１０Ｄを示している。本実施例に係る指紋読取装置１１０Ｄは、ガイド側壁４，５の内壁で指紋センサー１の配設位置と対向する位置に内側突出部３４，３５を形成することにより、前方指走査面２及び後方指走査面３により構成される指Ｆの走査面に幅狭部を形成した構成としている。この内側突出部３４，３５のガイド側壁４，５の内壁からの突出量Ｗ１（図１３に示す）は、例えば0.5mm〜2mmである。
【００４７】
この構成とすることにより、図１４に示す指Ｆの指紋ＦＰが少し浮いた状態から図１５に示すように指Ｆを指紋センサー１に向け下ろすと、指Ｆの腹が内側突出部３４，３５に接触し、この指Ｆの触覚により指紋センサー１に対する指Ｆの位置を認識することができる。
【００４８】
このように指Ｆの触覚により指紋読取装置１１０Ｄに対する指Ｆの位置認識が可能となることにより、指Ｆの第１関節Ｊ１の指紋センサー１に対する位置ずれを認識することができる。これにより、指紋センサー１が指Ｆにより隠れた状態であっても、第１関節Ｊ１が指紋センサー１の中心位置Ｏに位置するように調整することが可能となる。即ち、内側突出部３４及び内側突出部３５により構成される幅狭部は、指Ｆの第１関節Ｊ１を指紋センサー１の中心位置Ｏに位置決めさせる位置決め装置として機能する。
【００４９】
上記のように指Ｆの正しい位置が確認されると、図１５に示すように第１関節Ｊ１を指紋センサー１の中心位置Ｏに押し付け、その後に第１関節Ｊ１より上の指Ｆの腹の部分を指紋センサー１に押し付けながら図中矢印Ｘ方向に一定速度で指走査することで正しい指紋ＦＰの読み取りを行うことができる。
【００５０】
尚、上記した実施例ではガイド側壁４，５の指紋センサー１と対向する位置に凸状突起２４，２５を形成する構成を例に挙げて説明したが、指Ｆで認識できる構成であれば、凹状窪みを形成する構成としてもよい。
【実施例５】
【００５１】
図１６〜図１８は、第５実施例に係る指紋読取装置１１０Ｅを示している。本実施例に係る指紋読取装置１１０Ｅは、前方指走査面２，３の表面を鏡面処理することにより鏡面処理部２２，２３を形成したものである。
【００５２】
この構成とすることにより、指Ｆを鏡面処理部２２及び鏡面処理部２３の上にかざし、この時点で手前より各鏡面処理部２２，２３を覗くと（図１７参照）、指Ｆが鏡面処理部２２，２３に映し出される（第１関節Ｊ１も映し出される）。よって、指紋の読み取りを行おうとする者は、鏡面処理部２２，２３に映し出される鏡像を見ながら、指紋センサー１に対して第１関節Ｊ１の位置決めを行うことができる。
【００５３】
このように本実施例に係る指紋読取装置１１０Ｅは、鏡面処理部２２，２３に映し出される鏡像を見ることにより、第１関節Ｊ１の指紋センサー１に対する位置ずれを認識することができる。これにより、指紋センサー１が指Ｆにより隠れた状態であっても、第１関節Ｊ１が指紋センサー１の中心位置Ｏに位置するように調整することが可能となる。即ち、鏡面処理部２２，２３は、指Ｆの第１関節Ｊ１を指紋センサー１の中心位置Ｏに位置決めさせる位置決め装置として機能する。
【００５４】
上記のように指Ｆの正しい位置が確認されると、図２１に示すように第１関節Ｊ１を指紋センサー１の中心位置Ｏに押し付け、その後に第１関節Ｊ１より上の指Ｆの腹の部分を指紋センサー１に押し付けながら図中矢印Ｘ方向に一定速度で指走査することで正しい指紋ＦＰの読み取りを行うことができる。
【００５５】
尚、上記した実施例では２，３の双方の表面に鏡面処理部２２，２３を設けた構成を示したが、指Ｆを視認できればいずれか一方にのみ鏡面処理部を設けた構成としてもよい。
【実施例６】
【００５６】
図１９〜図２１は、第６実施例に係る指紋読取装置１１０Ｆを示している。本実施例に係る指紋読取装置１１０Ｆは、指Ｆの走査面で指紋センサー１の近傍位置にボタン６を設けたものである。
【００５７】
本実施例では、ボタン６は指Ｆの走査方向Ｘに対し指紋センサー１よりも後部（後方指走査面３）に配設されている。また、指紋センサー１の幅方向（図１９における左右方向）に対し、その中央位置に設けられている。即ち、ボタン６の配設位置は、指紋センサー１の中心位置Ｏと略同一の位置とされている。
【００５８】
また、ボタン６の下端部（各指走査面２，３の裏側）には弾性手段が設けられており、この弾性手段によりボタン６は上方（図中、矢印Ｚ１方向）に向け弾性付勢されている。弾性手段としてはスプリング、プラスチック、ゴム等の適用が考えられるが、本実施例ではコイル状のバネ７を用いた例を示している。
【００５９】
ボタン６は、押圧されることによりバネ７の弾性力に抗して図中Ｚ２方向に変位する。この際、ボタン６の先端部は、指Ｆが走査する走査面と同一の高さとなるまで押下されるよう構成されている。また、押圧を解除することにより、ボタン６はバネ７の弾性復元力によりＺ１方向に移動して元の位置に復元する。また、押圧されてない状態において、ボタン６の先端部はガイド側壁４，５の上面より若干突出するよう設定されている（図２０参照）。
【００６０】
このように、ボタン６の先端部をガイド側壁４，５の上面より突出させることにより、指紋読取装置１１０Ｆに向け指Ｆを下降させる際、下降位置の手前側からボタン６を確認することができ、ボタン６と第１関節Ｊ１との位置決めを行うことが可能となる。
【００６１】
更に指Ｆを降下させると、図２０に示すように指Ｆはボタン６と接触する。前記のように、ボタン６の形成位置は、指紋センサー１の中心位置Ｏと略対応している。よって、この時点で指Ｆの触覚により、指紋センサー１に対する指Ｆの位置を認識することが可能となる。
【００６２】
このように、本実施例に係る１１０Ｆでは、指紋センサー１に対する指Ｆの第１関節Ｊ１の位置ずれを認識することができる。これにより、指紋センサー１が指Ｆにより隠れた状態であっても、第１関節Ｊ１が指紋センサー１の中心位置Ｏに位置するように調整することが可能となる。即ち、ボタン６は、指Ｆの第１関節Ｊ１を指紋センサー１の中心位置Ｏに位置決めさせる位置決め装置として機能する。
【００６３】
上記のように指Ｆの正しい位置が確認されると、図２１に示すように第１関節Ｊ１を指紋センサー１の中心位置Ｏに押し付け、その後に第１関節Ｊ１より上の指Ｆの腹の部分を指紋センサー１に押し付けながら図中矢印Ｘ方向に一定速度で指走査することで正しい指紋ＦＰの読み取りを行うことができる。この際、ボタン６は走査面まで移動しているため、指Ｆの走査の邪魔になるようなことはない。
【００６４】
更に、このボタン６を電気的なスイッチとし、アプリケーションボタンとしての機能も持たせることにより、指紋認証と同時に、アプリケーションの起動を行うことが可能となる。よって、この構成とした場合には、アプリケーション操作と認証操作とを連続して最短時間で行うことができる。
【００６５】
尚、上記した実施例では走査面上のボタン６の配設位置を指紋センサー１よりも後部に配置したが、指紋センサー１よりも前方（前方指走査面２内）に配置する構成としてもよい。
【００６６】
以上、本発明の好ましい実施例について詳述したが、本発明は上記した特定の実施形態に限定されるものではなく、特許請求の範囲に記載された本発明の要旨の範囲内において、種々の変形・変更が可能なものである。
【符号の説明】
【００６７】
１  指紋センサー
２  前方指走査面
３  後方指走査面
４，５  ガイド側壁
６  ボタン
７〜９  バネ
１２，１４  第１の凹凸部
１３，１５  第２の凹凸部
２２，２３  鏡面処理部
２４，２５  凸状突起
１１０Ａ〜１１０Ｅ  指紋読取装置
Ｆ  指
ＦＰ  指紋
Ｊ１  第１関節
【図１Ａ】
0005549723.tif 000002
【図１Ｂ】
0005549723.tif 000003
【図１Ｃ】
0005549723.tif 000004
【図２Ｂ】
0005549723.tif 000005
【図３】
0005549723.tif 000006
【図４】
0005549723.tif 000007
【図５】
0005549723.tif 000008
【図６】
0005549723.tif 000009
【図８】
0005549723.tif 000010
【図９】
0005549723.tif 000011
【図１０】
0005549723.tif 000012
【図１１】
0005549723.tif 000013
【図１２】
0005549723.tif 000014
【図１４】
0005549723.tif 000015
【図１５】
0005549723.tif 000016
【図１６】
0005549723.tif 000017
【図１７】
0005549723.tif 000018
【図１８】
0005549723.tif 000019
【図１９】
0005549723.tif 000020
【図２０】
0005549723.tif 000021
【図２Ａ】
0005549723.tif 000022
【図２Ｃ】
0005549723.tif 000023
【図７】
0005549723.tif 000024
【図１３】
0005549723.tif 000025
【図２１】
0005549723.tif 000026